【事件の表示】
　特願２０００−１０８６９２「光ディスク記録再生装置」拒絶査定不服審判事件〔平成１３年１０月２６日出願公開、特開２００１−２９７４５８〕について、次のとおり審決する。
【結　論】
　本件審判の請求は、成り立たない。
【理　由】
Ｉ．手続の経緯
　本件審判の請求に係る特許願（以下「本願」という。）は、平成12年４月10日に出願されたものあって、平成16年７月12日付けで手続補正がなされたところ、平成16年11月26日付けで拒絶すべきものである旨の査定がなされ、これに対して、平成17年１月６日付けで拒絶査定不服審判の請求がなされるとともに、平成17年２月７日付けで手続補正がなされたものである。
　その後、平成18年10月10日付け当審からの前置審尋に対して、平成18年12月18日付けで回答書が提出されたものである。
　
　
II．平成17年２月７日付け手続補正についての補正却下の決定
　
　〔補正却下の決定の結論〕
　平成17年２月７日付け手続補正（以下「本件補正」という。）を却下する。
　
　〔理由〕
　１．本件補正について補正の内容
　本件補正は、特許請求の範囲及び発明の詳細な説明についてするもので、そのうち、特許請求の範囲についてのものは、請求項の数を６から５に減ずると共に、請求項１乃至５について、  　
「【請求項１】　光ディスクに対して情報の記録・再生を行なうためにレーザ光を対物レンズにより前記光ディスク上に集束させる光ヘッドを有する光ディスク記録再生装置において、
　前記光ヘッドのレーザ光の光路途中であって前記対物レンズの
前記
と
　
前記光ディスクをクランプしたターンテーブルが回転し前記光ヘッドが焦点を結ぶための動作を開始した後、前記光ディスクが再生されている状態で早送りやトラックジャンプ、サーチ、ランダムアクセスを行って前記光ヘッドが移動した後、２層ディスクに於いて異なる層を再生する場合にそれぞれ、
動作させて再生信号の品質を検査して再生信号の最良点の前後の状態を記憶し、その前後の中間の位置を調整位置として決定する
と
【請求項２】　光ディスクに対して情報の記録・再生を行なうためにレーザ光を対物レンズにより前記光ディスク上に集束させる光ヘッドを有する光ディスク記録再生装置において、
　前記光ヘッドのレーザ光の光路途中であって
前記
と
　
前記光ディスクをクランプしたターンテーブルが回転し前記光ヘッドが焦点を結ぶための動作を開始した後、前記光ディスクが再生されている状態で早送りやトラックジャンプ、サーチ、ランダムアクセスを行って前記光ヘッドが移動した後、２層ディスクに於いて異なる層を再生する場合にそれぞれ、
動作させて再生信号の品質を検査して再生信号の最良点の前後の状態を記憶し、その前後の中間の位置を調整位置として決定する
と
【請求項３】　光ディスクに対して情報の記録・再生を行なうためにレーザ光を対物レンズにより前記光ディスク上に集束させる光ヘッドを有する光ディスク記録再生装置において、
　前記光ヘッドのレーザ光の光路途中であって前記対物レンズの
前記
と
　
前記光ディスクをクランプしたターンテーブルが回転し前記光ヘッドが焦点を結ぶための動作を開始した後、前記光ディスクが再生されている状態で早送りやトラックジャンプ、サーチ、ランダムアクセスを行って前記光ヘッドが移動した後、２層ディスクに於いて異なる層を再生する場合にそれぞれ、
動作させて再生信号の品質を検査して再生信号の最良点の前後の状態を記憶し、その前後の中間の位置を調整位置として決定する
と
【請求項４】　光ディスクに対して情報の記録・再生を行なうためにレーザ光を対物レンズにより前記光ディスク上に集束させる光ヘッドを有する光ディスク記録再生装置において、
　前記光ヘッドのレーザ光の光路途中であって
前記
と
　
前記光ディスクをクランプしたターンテーブルが回転し前記光ヘッドが焦点を結ぶための動作を開始した後、前記光ディスクが再生されている状態で早送りやトラックジャンプ、サーチ、ランダムアクセスを行って前記光ヘッドが移動した後、２層ディスクに於いて異なる層を再生する場合にそれぞれ、
動作させて再生信号の品質を検査して再生信号の最良点の前後の状態を記憶し、その前後の中間の位置を調整位置として決定する
と
【請求項５】
　前記基板厚さ補償機構制御部は、前記光ヘッドから読み取られる再生信号の品質を判定する信号品質判定回路と、この信号品質判定回路の出力に基づいて前記基板厚さ補償機構を最適な状態に制御する補償機構駆動制御回路とによりなることを特徴とする請求項１乃至４のいずれかに記載の光ディスク記録再生装置。」
　
と、補正前の請求項１〜４に係る各発明について、各発明の構成要件である基板厚さ補償機構制御部の動作の必要時を、「
光ディスクをクランプしたターンテーブルが回転し前記光ヘッドが焦点を結ぶための動作を開始した後、前記光ディスクが再生されている状態で早送りやトラックジャンプ、サーチ、ランダムアクセスを行って前記光ヘッドが移動した後、２層ディスクに於いて異なる層を再生する場合にそれぞれ
基板厚さ補償機構制御部の補償調整動作の内容を、「前記基板厚さ補償機構を
動作させて再生信号の品質を検査して再生信号の最良点の前後の状態を記憶し、その前後の中間の位置を調整位置として決定する
　
　２．本件補正の目的
　本件補正の内容は、本件請求項６を削除するとともに、補正前の請求項１ないし４に係る発明の要件を具体的に限定しようとするものであるから、本件補正は、特許法第17条の２第４項第１，２号に規定された請求項の削除、特許請求の範囲の減縮を目的とするものに該当する。
　
　３．独立特許要件
　次に、本件補正の特許請求の範囲の記載が、特許出願の際独立して特許を受けることができるものであるか（特許法第17条の２第５項において準用する同法第126条第５項の規定に違反するか）について、検討する。
　
　(1)補正後発明
　本件補正後の請求項３に係る発明（以下「補正後発明」という。）は、上記１．の【請求項３】に記載されたとおりのものである。
　
　(2)刊行物について
　これに対し、原査定の拒絶の理由に引用された特開平2000−30290号公報（以下「刊行物１」という。平成12年１月28日出願公開。）及び特開平６−231477号公報（以下「刊行物２」という。平成６年８月19日出願公開。）には、それぞれ、以下の記載がある。
　−刊行物１−
　刊行物１は、光ディスク製造上の理由から、光ディスクにおける信号面の保護膜の厚さが、光ディスク毎にばらつきがあり、また、１枚の光ディスクについても、それの信号面の保護膜の厚さにむらがあるために、光ディスクの保護膜の厚さの変化に伴って球面収差が生じて再生信号が劣化するという問題（【０００５】）を解決し、同原因による再生信号の劣化が生じないように、良好な再生信号が得られるようにした光学ヘッド装置及び光ディスクの記録再生装置に関する発明についてのもので、以下の記載がある。
　(i)「【特許請求の範囲】
　【請求項１】  少なくとも、光源と、光源から射出された光を平行光にするレンズと、前記の平行光を集束する対物レンズと、前記の対物レンズの開口数を実質的に変換する補助レンズとを備えていて、光ディスクの信号面に光を集光させるようにしてある光学ヘッド装置において、前記の光源から射出された光を平行光にするレンズを、光軸方向に移動させる手段を設けてなる光学ヘッド装置。
　【請求項２】　　（省略）
　【請求項３】　少なくとも、光源と、光源から射出された光を平行光にするレンズと、前記の平行光を集束する対物レンズと、前記の対物レンズの開口数を実質的に変換する補助レンズと、前記の光源から射出された光を平行光にするレンズを、光軸方向で移動させる手段とを備えて構成されている光学ヘッド装置と、前記した補助レンズから射出されて光ディスクの信号面に集光した光点が、対物レンズ及び補助レンズの球面収差が補正された状態になるように、前記した光学ヘッド装置における光源から射出された光を平行光にするレンズを記録媒体の光軸方向に移動させる手段を制御する制御手段とを設けてなる光ディスクの記録再生装置。
　【請求項４】〜【請求項６】　（省略）　　」
　(ii)「【０００９】
　【発明の実施の形態】以下、添付図面を参照して本発明の光学ヘッド装置及び光ディスクの記録再生装置の具体的な内容を詳細に説明する。図１は本発明の光学ヘッド装置を含んで構成された光ディスクの記録再生装置の概略構成を示すブロック図であり、また、図２乃至図５は本発明の光学ヘッド装置の概略構成、動作の説明に使用される図である。図１においてＤは光ディスクであって、前記の光ディスクＤは例えばＣＤ，ＤＶＤ等のような記録済光ディスクや、例えばＤＶＤ−Ｒ，ＤＶＤ−ＲＡＭ等のような記録可能な光ディスクである。なお、以下の説明においては、記録可能な光ディスク、記録済み光ディスクを含めて、単に、「光ディスク」のように記載される。」
　(iii)「【００１１】図１において１は本発明の光学ヘッド装置（記録再生光学ヘッド部）であり、この光学ヘッド装置１の具体的な構成例や動作等の詳細については、図２以降を参照して後述されている。この光学ヘッド装置１は、機械的な連結部（図１中に連結部として表示してある）によって連結されている光ヘッド移送駆動部２の動作により、光ディスクの径方向に所定の移動態様で移動されるのであり、前記した光ヘッド移送駆動部２による光学ヘッド装置１の移送動作は、制御部４やトラッキング制御回路11から制御信号が供給されている光ヘッド移送制御部３による移送制御動作の下に行なわれる。」
　(iv)「【００１４】次に、図２乃至図７を参照して、本発明の記録再生装置で使用される光学ヘッド装置の構成例及び動作原理などについて説明する。まず、図２及び図３に示す本発明の光学ヘッド装置について図２乃至図４を参照して説明する。図２及び図３において、15は半導体レーザであり、16は前記した半導体レーザ15から放射されたレーザ光束を平行光束にするレンズ（コリメータレンズ）である。前記のコリメータレンズ16はアクチュエータ17によって、光軸方向に駆動変位できるようにされている。
　【００１５】18はビームスプリッタ（偏光ビームスプリッタまたは半透明鏡）であり、また、19は必要に応じて設けられる１／４波長板、20は対物レンズ、21は補助レンズであり、前記の対物レンズ20と補助レンズ21とは、互いに所定の一定間隔を保持した状態で、アクチュエータ22（自動トラッキング制御系のアクチュエータと、自動フォーカス制御系のアクチュエータとを結合させて構成してあるアクチュエータ）により、光軸方向と、光軸方向に直交する方向との２方向に駆動変位される。また、23は検出用光学デバイス、24は光検出器（例えば四分割光検出器）、25は光検出器24からの出力信号から、再生信号と、フォーカス誤差信号と、トラッキング誤差信号とを発生させる信号処理回路であり、26は再生信号の出力端子、27はフォーカス誤差信号の出力端子、28はトラッキング誤差信号の出力端子、29は記録データの入力端子、30はトラッキング制御信号の入力端子、31はフォーカス制御信号の入力端子である。」
　(v)「【００２１】ところで、光学ヘッド装置１において用いられている対物レンズ系が、前記のように対物レンズ20と補助レンズ21との２枚のレンズを用いて、レーザ光を光ディスクＤの信号面（記録面）に集光させるようにしているのは、従来例に関する説明中で記述した理由により、２枚のレンズを用いて実質的開口数が０．８以上となるような光学系を構成させるためである。ところが、既述したように２枚のレンズで構成した対物レンズを用いた場合には、対物レンズを構成している２枚のレンズの内で、光デイスクに近い方のレンズと光ディスクＤの信号面との間に存在する保護膜の厚さが、光ディスク毎にばらついていたり、あるいは１枚の光ディスクについても、それの信号面の保護膜の厚さにむらがあるために、光ディスクの保護膜の厚さの変化に伴って対物レンズ系に生じる倍率誤差に基づく球面収差により、前記した自動フォーカス制御系が正常に動作していたとしても、光ディスクＤの信号面の光点の大きさが最良の状態からずれるということが起きる。
　【００２２】そこで、図２及び図３に示す本発明の光学ヘッド装置では、半導体レーザ15から発散状態で射出されたレーザ光を平行光にするレンズ（コリメータレンズ）16と、半導体レーザ15から発散状態で射出されたレーザ光の発散の状態を拡大させた状態でコリメータレンズ16に入射させる凹レンズとの内の、いずれか一方または双方のものを、アクチュエータ17によって光軸方向に変位させ、それにより、コリメータレンズ16から射出される光束を、コリメータレンズ16が、それの焦点距離の位置に半導体レーザ15の発光点が位置しているように規準の位置に設置されている場合の平行光の状態から、集束光の状態または発散光の状態に変化させた光束を、対物レンズ系の対物レンズ20に入射させることにより、光ディスクの保護膜の厚さの変化に伴って対物レンズ系に生じる倍率誤差に基づく球面収差が補正されるようにして、光ディスクの保護膜の厚さが変化していても、光ディスクＤの信号面の光点の大きさが常に最小の状態になるようにしているのである。
　【００２３】すなわち、対物レンズ20と補助レンズ21とによって構成されている対物レンズ系は、それに平行光束が入射されている状態において、結像倍率が無限となっているが、対物レンズ20に入射する光束が、集束光束あるいは発散光束が入射されると、結像倍率が有限値に変化して結像倍率誤差を生じ、それに伴って球面収差が発生する。本発明の光学ヘッド装置では、前記のように対物レンズ20と補助レンズ21とによって構成されている対物レンズ系に入射される光束が平行光束でなく、集束光束あるいは発散光束の場合に、結像倍率が有限値に変化したことによる結像倍率誤差に伴って発生する球面収差によって、光ディスクの保護膜の厚さの変化に伴って対物レンズ系に生じる倍率誤差に基づく球面収差が打消されるように補正して、光ディスクの保護膜の厚さが変化していても、光ディスクＤの信号面の光点の大きさが常に最小の状態になるようにさせるのである。
　【００２４】図２及び図３に示されている光学ヘッド装置において、コリメータレンズ16を光軸方向で変位させるアクチュエータ17としては、例えば、動電型の電気ー機械変換器（ボイスコイル型アクチュエータ）、あるいは電歪型の電気ー機械変換器、電磁型の電気ー機械変換器、その他の電気ー機械変換器の内から適当なものを選択使用することができる。前記したアクチュエータ17は、制御部４で発生されて制御部４から端子32を介して供給される駆動制御信号によって、コリメータレンズ１６を光軸方向に駆動変位させるのであるが、前記した駆動制御信号は、光学ヘッド装置１の信号処理回路25から端子26を介して記録再生信号処理部12に供給される再生信号に基づいて、次のようにして発生させることができる。
　【００２５】すなわち、制御部４から端子32を介してアクチュエータ17に供給される駆動制御信号は、例えば、記録再生信号処理部12における再生信号に対する信号処理の結果として得られる再生信号の高域信号成分の振幅と対応している信号として発生させたり、あるいは、２値化した信号と、基準のクロック信号とのジッタ量と対応している信号として発生させることができる。」
　(vi)「【００２６】さて、図示しない操作部に対して使用者が記録（再生）動作の開始のための入力情報を与えると、光ディスクの記録再生装置の制御部４では、記録（再生）動作の開始に当り、まず、コリメータレンズ16の焦点が、半導体レーザ15の発光点の位置に一致する状態にさせうるような駆動制御信号をアクチュエータ17に供給して、コリメータレンズ16から平行光束が出射される状態にする。次に、制御部４では記録再生装置を再生動作モードでの動作状態にし、光ディスクＤを所定の回転数で回転させ、光学ヘッド装置１から光ディスクＤの再生信号、フォーカス誤差信号、トラッキング誤差信号等を出力させる。　
　【００２７】光学ヘッド装置１から出力された前記のフォーカス誤差信号、トラッキング誤差信号に基づいて、既述のようにフォーカス制御回路10やトラッキング制御回路11で発生されたフォーカス制御信号やトラッキング制御信号によって、光学ヘッド装置１内の対物レンズ系（対物レンズ20と補助レンズ21）のアクチュエータ22が対物レンズ系を、光軸方向と、光軸に直交する方向との２方向に駆動変位して、前記の対物レンズ系により集束されたレーザ光が、微小な径の光点として光ディスクＤの信号面のトラックを正しく追跡している状態で、光ディスクＤから再生信号を発生できるようにする。
　【００２８】前記の状態で光ディスクＤから再生された再生信号が、光学ヘッド装置１の出力端子26を介して供給された記録再生信号処理部12では、再生信号に対する信号処理の結果として得られる再生信号の高域信号成分、あるいは、再生信号を２値化した信号を制御部４に供給し、制御部４では、前記した再生信号の高域信号成分の振幅に基づいて駆動制御信号を発生して、それを端子３２を介してアクチュエータ17に供給したり、あるいは、前記の再生信号を２値化した信号と、基準のクロック信号とのジッタ量と対応している信号に基づいて駆動制御信号を発生して、それを端子32を介してアクチュエータ17に供給したりする。それにより、アクチュエータ17は、前記した駆動制御信号によって対物レンズ系（対物レンズ20と補助レンズ21）を光軸方向に変位させる。
　【００２９】それで、アクチュエータ17→対物レンズ系（対物レンズ20と補助レンズ21）→光ディスクＤの信号面の光点からの反射光→補助レンズ21→対物レンズ20→１／４波長板19→ビームスプリッタ18→検出用光学デバイス（シリンドリカルレンズを含んで構成されている光学系）23→光検出器（四分割光検出器）24→信号処理回路25→再生信号→端子26→記録再生信号処理部12→制御部４→アクチュエータ17の一巡の自動制御系の動作により、光ディスクＤの信号面上の光点が最小にされるように制御されることになる。
　【００３０】そして、前記のように光ディスクＤの信号面上の光点を最小径にさせることができるコリメータレンズ１６の光軸上の位置は、コリメータレンズ16を前記の光軸上の位置にさせるためにアクチュエータ17に供給された駆動制御信号の極性及び大きさによって示すことができる。すなわち、コリメータレンズ16の焦点が、半導体レーザ15の発光点の位置に一致する状態にさせうるコリメータレンズ16の位置をコリメータレンズ16の基準位置とし、コリメータレンズ16を基準位置にさせうる駆動制御信号を基準の駆動制御信号としたときに、記録再生の対象にされる光ディスクＤにおける保護膜の厚さの変化と対応して、光ディスクＤの信号面上の光点を最小径にさせることができるコリメータレンズ16の光軸上の位置が、前記した基準の位置からのずれ量は、アクチュエータ17に供給された駆動制御信号の極性及び大きさと、基準の駆動制御信号の極性と大きさとの差によって示すことができる。
　【００３１】それで、記録再生の対象にされる光ディスクＤについて、それの径方向における１個所以上（光ディスクＤが、それの全面が同一の厚さの保護膜で被覆されている場合には１個所でよい。また、光ディスクＤの保護膜の厚さが、径方向で変化している場合には、例えば、記録再生領域における外周部、中央部、内周部の３個所にする）について、前記したアクチュエータ17の駆動制御信号の極性及び大きさのデータを、そのデータが得られた光ディスクＤの径方向における位置の情報とともに、制御部４内のメモリに記憶させておく。
　【００３２】前記のように記録再生装置を再生動作モードで動作させて、記録再生の対象にされている光ディスクＤの記録再生領域における所定の部分（例えば外周部、中央部、内周部の内の１個所以上）について、アクチュエータ17の駆動制御信号の極性及び大きさのデータを、そのデータが得られた光ディスクＤの径方向における位置の情報とともに、制御部４内のメモリに記憶させたデータは、記録再生装置が、記録動作モードで記録動作を行なう場合、及び記録再生装置が、再生動作モードで再生動作を行なう場合に、光ディスクＤの保護膜の厚さむらに応じて行なわれるコリメータレンズ16の光軸上での位置制御のために、アクチュエータ17に供給される駆動制御信号を制御部４内で発生させる際に用いられる。
　【００３３】記録再生の対象にされている光ディスクＤが、それの保護膜の厚さが記録再生領域の全面について同一な場合における記録再生動作時には、前記した制御部４内のメモリに記憶されていたアクチュエータ17の駆動制御信号の極性及び大きさと対応する１個のデータに基づいて発生させた１種類の駆動制御信号をアクチュエータ17に供給することにより、コリメータレンズ16の光軸上の位置を定めて記録，再生動作を行なう。
　【００３４】また、記録再生の対象にされている光ディスクＤの保護膜の厚さが、径方向で変化しているような光ディスクＤの記録再生動作時には、前記した制御部４内のメモリに記憶されていたその光デイスクの外周部、中央部、内周部の３個所におけるアクチュエータ１７の駆動制御信号の極性及び大きさと対応する３個のデータに基づいて、それぞれ発生させた３種類の駆動制御信号を、アクチュエータ１７に供給することにより、コリメータレンズ１６の光軸上の位置を、光ディスクＤの外周部、中央部、内周部毎に変化させて記録，再生動作を行なう。」
　（なお、上記(vi)【００２８】の「アクチュエータ17は、前記した駆動制御信号によって対物レンズ系（・・・）」、【００２９】の「アクチュエータ１７→対物レンズ系（・・・）→・・・」の「対物レンズ系（・・・）」は、【図２】【図３】では、符号「17」で示されたアクチュエータが、コリメータレンズ16を移動するためのものであり、また、他の記載からみて、「コリメータレンズ」の誤記と解される。）
　以上の記載をコリメータレンズの位置の制御に着目して整理すると、刊行物１には、結局、以下の発明が記載されているものと認める。
　「少なくとも、光源と、光源から射出された光を平行光にするコリメータレンズと、対物レンズ及び対物レンズの開口数を実質的に変換する補助レンズとからなる対物レンズ系と、コリメータレンズを光軸方向に移動させるコリメータレンズアクチュエータとを備えて構成されている光学ヘッド装置と、
　対物レンズ系を透して光ディスクの信号面に集光した光点が、対物レンズ系の球面収差が補正された状態になるように、コリメータレンズアクチュエータを制御する制御部と
を設け、
　制御部は、記録（再生）動作の開始に当り、コリメータレンズの焦点が、半導体レーザの発光点の位置に一致する状態にさせる駆動制御信号をコリメタレンズアクチュエータに供給して、コリメータレンズから平行光束が出射される状態にし、次に、記録再生装置を再生動作モードでの動作状態にして、対物レンズ系により集束されたレーザ光が、微小な径の光点として光ディスクの信号面のトラックを正しく追跡している状態で、光ディスクから再生信号を発生できるようにし、
　この状態で光ディスクから再生された再生信号が供給される記録再生信号処理部での信号処理結果として得られる再生信号を２値化した信号を受け、
　基準のクロック信号とのジッタ量と対応している信号に基づいて駆動制御信号を発生して、コリメータレンズアクチュエータに供給し、それにより、コリメータレンズを光軸方向に変位させ、光ディスクの保護膜の厚さの変化に伴って生じる球面収差が打ち消されるように補正して、光ディスクの信号面上の光点が最小になるように制御するものであって、
　記録再生の対象にされている光ディスクの保護膜の厚さが、径方向で変化しているような光ディスクの記録再生動作時に、例えば、記録再生領域における外周部、中央部、内周部の３個所について、コリメータレンズアクチュエータの駆動制御信号の極性及び大きさのデータが、そのデータが得られた光ディスクの径方向における位置の情報とともに、制御部内のメモリに記憶され、
　その光デイスクの外周部、中央部、内周部の３個所におけるアクチュエータの駆動制御信号の極性及び大きさと対応する３個のデータに基づいて、それぞれ発生させた３種類の駆動制御信号を、コリメータレンズアクチュエータに供給することにより、コリメータレンズの光軸上の位置を、光ディスクの外周部、中央部、内周部毎に変化させて記録，再生動作を行なう
光ディスクの記録再生装置。」
　
　−刊行物２−
　刊行物２には、ＣＤ（コンパクトディスク）プレーヤ等の光学式ディスクプレーヤのサーボ系に適した「フォーカスサーボ回路」に関する発明について、
以下の記載がある。
　(vii)「【０００６】【発明が解決しようとする課題】しかしながら、上記構成の従来のフォーカスサーボ回路では、フォーカスサーボのバイアス調整を製造ラインにおいて手動で行う構成となっていたので、その調整作業に熟練や手間を要するとともに、実際に再生するディスクの厚さや材料の違いによって屈折率が異なった場合に発生する焦点ずれには対応できないという問題点があった。本発明は、上記課題に鑑みてなされたものであり、その目的とするところは、フォーカスサーボのバイアス調整を、再生するディスク毎に自動的にかつ最適に行うことが可能なフォーカスサーボ回路を提供することにある。
　【０００７】【課題を解決するための手段】本発明によるフォーカスサーボ回路は、フォーカス誤差信号を生成する誤差信号生成回路と、ディスクから再生された２値化信号に同期したクロックのエッヂと２値化信号の変化点との間の時間差を計測する時間差計測回路と、この時間差に応じたフォーカスバイアス電圧を発生するバイアス電圧発生回路と、フォーカス誤差信号にフォーカスバイアス電圧を加算する加算器とを具備し、この加算器の加算出力に基づいてフォーカスサーボを行う構成となっている。
　【０００８】【作用】ＲＦ信号のジッター量を、２値化信号に同期したクロックのエッヂと２値化信号の変化点との間の時間差として計測する。このジッター量はフォーカスバイアス誤差に対応することから、この時間差が最少となるようなフォーカスバイアス電圧を設定する。そして、この設定フォーカスバイアス電圧をフォーカス誤差信号に加算する。これにより、フォーカス誤差信号に含まれる直流オフセット分がキャンセルされるため、フォーカスバイアスがジャストフォーカスとなるように自動的に調整される。」
　(viii)「【００１１】ところで、フォーカスサーボにおいては、図２に示すように、ジャストフォーカスの場合（Ａ）には、ＲＦ信号はきれいな波形となり、ＰＬＬクロックPLCKもジッターのない波形となるが、ジャストフォーカスポイントより若干ポイントがずれた場合、即ちフォーカスバイアスずれの場合（Ｂ）には、電気的にＲＦ信号の周波数スペクトルが広がったものとなり、ＲＦ信号がきたない波形となるために、ＰＬＬクロックPLCKもジッターを含んだ波形となる。図３（Ａ），（Ｂ）には、ＲＦ信号の２値化信号であるＥＦＭ信号とＰＬＬクロックPLCKの波形を、図２（Ａ），（Ｂ）にそれぞれ対応して示している。
　【００１２】そこで、本発明においては、ジャストフォーカスのときＲＦ信号のジッター量が最少となることに着目し、フォーカスバイアス誤差に対応したこのジッター量を、図４に示すように、ＰＬＬクロックPLCKのエッヂとＥＦＭ信号の変化点との時間差（位相差）±Δθとして計測し、この時間差±Δθが最少となるようなフォーカスバイアス電圧を設定してバイアス調整を自動的に行うするようにしている。すなわち、図１において、ＰＬＬクロックのエッヂとＥＦＭ信号の変化点とのの間の時間差±Δθを計測する時間差計測回路６と、この時間差±Δθに応じたフォーカスバイアス電圧を発生するバイアス電圧発生回路６とを設け、このフォーカスバイアス電圧を加算器４にてフォーカス誤差信号に加算し、サーボ系に発生する直流オフセット分をキャンセルすることによってバイアス調整を行う構成となっている。」
　(ix)「【００１８】ここで、ＲＦ信号でＰＬＬクロックPLCKより±88ｎsec.以上ずれた変化を98フレーム期間だけ計測したカウント数（位相ずれ回数）とＣ１ブロックエラーレートを、フォーカスバイアス電圧をパラメータにとった場合の計測結果として図７に示す。同図において、実線（ａ）がブロックエラーレートを、点線（ｂ）が最大位相ずれ回数をそれぞれ示している。なお、２本の実線（ａ）、２本の点線（ｂ）でそれぞれ囲まれた領域内が多く観測される値である。この計測結果から明らかなように、フォーカスバイアス電圧が０〜０．３Ｖの間で良好であり、このときＣ１ブロックエラーレートも位相ずれ回数も最少となっていることがわかる。
　【００１９】次に、バイアス電圧発生回路７において、時間差計測回路６で計測された計測データＮ（位相ずれ回数）に基づいてフォーカスバイアス電圧を設定する具体例について説明する。バイアス電圧発生回路７は、マイクロコンピュータによって構成され、計測データＮの平均値が最小となるようにフォーカスバイアス電圧を設定する。その設定の処理手順の一例を、図８のフォーカスバイアス電圧‐位相ずれ回数の特性図に基づいて、図９のフローチャートにしたがって説明する。
　【００２０】先ず、計測データＮの最小値Ｎmin を計測し（ステップＳ１）、次いでこの最小値Ｎmin よりもα％だけ大なる閾値Ｎthを設定する（ステップＳ２）。なお、この閾値Ｎthについては、フォーカスサーボが外れる危険性のある限界値ＮLIM未満に設定する必要がある。続いて、計測データＮが閾値Ｎthとなる２つのバイアス値ＦA ，ＦB を計測し（ステップＳ３）、この２つのバイアス値ＦA ，ＦB の平均値（＝ＦA ＋ＦB ／２）を求め（ステップＳ４）、これを設定フォーカスバイアス電圧とする。
　【００２１】【発明の効果】以上説明したように、本発明によれば、ＲＦ信号のジッター量を２値化信号であるＥＦＭ信号に同期したＰＬＬクロックのエッヂとＥＦＭ信号の変化点との間の時間差として計測し、この時間差が最少となるようなフォーカスバイアス電圧を設定し、この設定バイアスバイアス電圧をフォーカス誤差信号に加算してオフセット分をキャンセルするようにしたので、従来は製造ラインで行っていたフォーカスサーボのバイアス調整を自動的に行えることになる。また、バイアス調整の自動化により、ディスク再生の度にフォーカスサーボのバイアス調整が行われることになるため、ディスクの厚さや材料が異なっても、各ディスク毎に最適なバイアス点で再生できることになる。」
　
　(3)対比・判断
　〔対比〕
　補正後発明と刊行物１記載の発明とを対比する。
　a．刊行物１記載の発明における「光ディスクの保護膜」について、刊行物１には、「・・・２枚のレンズで構成した対物レンズを用いた場合には、対物レンズを構成している２枚のレンズの内で、光デイスクに近い方のレンズと光ディスクＤの信号面との間に存在する保護膜の厚さ」（上記(v)の【００２１】）等の記載からみて、補正後発明における「光ディスクの基板」に相当する。
　即ち、いずれの発明も、光ディスク毎でも、１枚の光ディスク内でも、ディスクの基板の厚さにムラがあることで生じる収差による再生信号の劣化を低減しようとする点で共通するものである。
　b．刊行物１記載の発明は、光ディスクから再生され、信号処理して得られる２値化した信号と基準のクロック信号とのジッタ量と対応している信号に基づいて得られる駆動制御信号でコリメータレンズアクチュエータを駆動し、コリメータレンズを光軸方向に変位させ、光ディスクの保護膜（基板）の厚さの変化に伴って生じる球面収差が打ち消されるように補正して、光ディスクの信号面上の光点が最小になるように制御するものであり、コリメータレンズを光軸方向に変位させることによって、光ディスクの保護膜（基板）の厚さムラを補償していることは明らかである。
　補正後発明においても、基板厚さムラの補償調整は、結局、コリメータレンズの位置の調整によるものであって、いずれの発明も、光ディスクの基板の厚さムラをコリメータレンズの位置を制御することにより補償調整しようとする点で共通するものである。
　c．コリメータレンズが対物レンズ系に対して光ディスクとは反対側に配置されていることは自明であり、刊行物１記載の発明におけるコリメータレンズとコリメータレンズアクチュエータが、補正後発明における「前記光ヘッドのレーザ光の光路途中であって前記対物レンズの前記光ディスクとは反対側に、前記光ディスクの基板の厚さムラを補償するために、光軸に沿って移動可能にすることで前記対物レンズとの間の距離が可変になされたコリメータレンズよりなる基板厚さ補償機構」に相当することは明らかである。
　d．更に、ジッタ量は、光ディスクの再生信号の品質に対応する変量の一つにほかならず、補正後発明においても、ジッタ量を再生信号の品質としていることは明らかであることから（本願明細書【００２２】）、再生信号の品質を検査することにより、コリメータレンズの位置を調整している点でも、刊行物１記載の発明は補正後発明と一致している。
　e．また、刊行物１記載の発明では、記録再生の対象にされている光ディスクの保護膜（基板）の厚さが、径方向で変化しているような光ディスクの記録再生動作時に、例えば、記録再生領域における外周部、中央部、内周部の３個所について、駆動制御信号の極性及び大きさのデータが、そのデータが得られた光ディスクの径方向における位置の情報とともに、制御部内のメモリに記憶され、記憶された３個のデータに基づいて、それぞれ発生させた３種類の駆動制御信号を、コリメータレンズアクチュエータに供給することにより、コリメータレンズの光軸上の位置を、光ディスクの外周部、中央部、内周部毎に変化させて記録，再生動作を行なうとしており、少なくとも、記録再生領域における外周部、中央部、内周部の３個所におけるコリメータレンズアクチュエータの駆動制御信号は、光ディスクの記録再生動作時に、光ヘッドが各箇所へ移動した後の再生信号のジッタ量と対応する信号に基づいて、光ディスクの保護膜（基板）の厚さの変化に伴って生じる球面収差が打ち消されるように補正して、光ディスクの信号面上の光点が最小になるように、コリメータレンズを光軸方向に変位させる制御する際に得られる駆動制御信号であり、駆動制御信号の極性及び大きさのデータがコリメータレンズの調整位置に対応する信号であることは明らかである。
　f．記録再生動作時における光ディスクのターンテーブルによる回転、光ヘッドのフォーカス制御は自明のことであり、調整位置の決定補償調整動作の具体的タイミング及び調整位置の決定処理手法はともかく、刊行物１記載の発明における制御部と補正後発明における基板厚さ補償機構制御部とは、「光ディスクをクランプしたターンテーブルが回転し、光ヘッドが焦点を結ぶための動作を開始した後、光ディスクが再生されている状態で光ヘッドが移動した後、基板厚さ補償機構を動作させて再生信号の品質を検査して調整位置の決定をする補償調整を行う」点で一致するものと認める。
　
　結局、両発明の一致点及び相違点は、以下のとおりである。
　［一致点］
「光ディスクに対して情報の記録・再生を行なうためにレーザ光を対物レンズにより前記光ディスク上に集束させる光ヘッドを有する光ディスク記録再生装置において、
　前記光ヘッドのレーザ光の光路途中であって前記対物レンズの前記光ディスクとは反対側に、前記光ディスクの基板の厚さムラを補償するために、光軸に沿って移動可能にすることで前記対物レンズとの間の距離が可変になされたコリメータレンズよりなる基板厚さ補償機構と、
　前記光ディスクをクランプしたターンテーブルが回転し前記光ヘッドが焦点を結ぶための動作を開始した後、前記光ディスクが再生されている状態で前記光ヘッドが移動した後、前記基板厚さ補償機構を動作させて再生信号の品質を検査して調整位置の決定をする補償調整を行なう基板厚さ補償機構制御部とを備えたことを特徴とする光ディスク記録再生装置。」
　
　［相違点］
　(イ)基板厚さ補償機構の補償調整の具体的動作タイミングについて、補正後発明が、早送りやトラックジャンプ、サーチ、ランダムアクセスを行って光ヘッドが移動した後、及び、２層ディスクに於いて異なる層を再生する場合に、それぞれ、調整位置を決定する補償調整を行なうとしているのに対して、刊行物１記載の発明では、具体的動作タイミングは不明である点。
　(ロ)基板厚さ補償機構の調整位置の決定処理手法について、補正後発明が、
 再生信号の最良点の前後の状態を記憶し、その前後の中間の位置を調整位置として決定するとしているのに対して、刊行物１記載の発明では、具体的手法は不明である点。
　
　〔判断〕
　−相違点(イ)について−
　刊行物１記載の発明も、光ヘッドが光ディスクの記録再生領域における外周部、中央部、内周部の３個所の各半径位置に移動した後、光ディスクの半径位置毎にその半径位置における光ディスクの基板厚さのムラによる球面収差を打ち消し、補正するようにコリメータレンズの位置を制御調整するものである。
　そして、刊行物１では予め、半径位置と調整量とを記憶するもの（上記(2)(vi)の【００３１】を参照）なので、刊行物１に記載の発明のように予め半径位置前に調整量を記憶しておき、自明の移動形態のあとで、記憶した値に基づいてコリメートレンズの位置調整をするか、自明の移動態様毎に調整するかは、当業者が、適宜容易になし得るものと認める。
　また、２層に記録層が設けられた光ディスクにおいて、各層間で基板の厚さにムラが生じることは、当業者であれば、ごく容易に想定し得ることであり、光ディスクの再生位置が異なる層に移動する際にも、補償調整を行なうようにすることは、当業者が、格別の発明力を要すことなく、適宜になし得るものと認める。
　
　−相違点(ロ)について−
　位置制御等の調整制御において、最適値を決定するのに、最適値前後の値の中間の値を最適値とすることは、極めて周知のことである。
　光ディスク装置においても、フォーカスサーボ回路のフォーカスバイアス電圧の設定についてではあるが、実際に再生するディスクの厚さや材料の違いによって屈折率が異なった場合に発生する焦点ずれに対応し得るフォーカスサーボのバイアス調整を、再生するディスク毎に自動的にかつ最適に行うことを可能とするフォーカスサーボ回路に関する発明において、ＲＦ信号のジッタ量を最少とするフォーカスバイアス電圧をジッタ量が最少となるバイアス値の前後両側の２つのバイアス値（前後の状態を記憶しておくことは明らかである）の平均値（中間の値であることは自明である）として設定することが、前記刊行物２に記載されている。
　刊行物１記載の発明も、ディスクの厚さの違いによる再生信号（ＲＦ信号）のジッタ量を低減しようとするものであり、光ディスクの基板厚さのムラによる球面収差を打ち消し、補正するようなコリメータレンズの位置を決定するのに、再生信号のジッタ量を最少とする位置（最良点）の前後の状態を記憶し、その前後の中間の位置を調整位置とすることは、当業者が、格別の発明力を要すことなく、適宜になし得るものと認める。
　
　以上のとおりであるから、本件補正後の請求項３に係る発明は、刊行物１に記載された発明に刊行物２を採用して、当業者が容易に発明し得たものであり、特許法第29条第２項の規定より、特許出願の際独立して特許を受けることができないものである。 
　               
　４．補正についての結び 
　したがって、本件補正は、特許法第17条の２第５項において準用する同法第126条第５項の規定に違反するので、特許法第159条第１項の規定において読み替えて準用する同法第53条第１項の規定により却下すべきものである。
　
　
III．本願発明
　１．本願発明
　平成17年２月７日付けの手続補正は、上記のとおり却下されたので、本願請求項１〜６に係る各発明は、平成16年７月12日付けの手続補正書によって補正された明細書及び図面からみて、特許請求の範囲請求項１〜６に記載されたとおりのものと認められるところ、その請求項３の記載は、以下のとおりである。
　
　「【請求項３】光ディスクに対して情報の記録・再生を行なうためにレーザ光を対物レンズにより前記光ディスク上に集束させる光ヘッドを有する光ディスク記録再生装置において、
　前記光ヘッドのレーザ光の光路途中であって前記対物レンズの前記光ディスクとは反対側に、前記光ディスクの基板の厚さムラを補償するために、光軸に沿って移動可能にすることで前記対物レンズとの間の距離が可変になされたコリメータレンズよりなる基板厚さ補償機構を設け、前記基板厚さ補償機構を必要時に動作させて補償調整を行なう基板厚さ補償機構制御部を備えたことを特徴とする光ディスク記録再生装置。」（以下「本願発明」という。）
　
　２．刊行物及びその記載
　これに対し、原査定の拒絶の理由に引用された刊行物は、特開平2000−30290号公報（以下「刊行物１」という。）であって、その記載は、前記II．３ ．(2)−刊行物１−のとおりである。
　
　３．対比・判断
　本願発明は、上記II．で検討した補正後発明から、基板厚さ補償機構制御部の動作の必要時と、基板厚さ補償機構制御部の補償調整動作の内容について、「基板厚さ補償機構
と、光ディスクをクランプしたターンテーブルが回転し前記光ヘッドが焦点を結ぶための動作を開始した後、前記光ディスクが再生されている状態で早送りやトラックジャンプ、サーチ、ランダムアクセスを行って前記光ヘッドが移動した後、２層ディスクに於いて異なる層を再生する場合にそれぞれ、
動作させて再生信号の品質を検査して再生信号の最良点の前後の状態を記憶し、その前後の中間の位置を調整位置として決定する
と
　そうすると、本願発明の構成要件を全て含み、さらに他の構成要件を付加したものに相当する補正後発明が、上記「II．〔理由〕３．(3)対比・判断」に記載したとおり、刊行物１に記載された発明に刊行物２を採用して、当業者が容易に発明をすることができたものと認められるから、本願発明も、同様の理由により刊行物１記載の発明のものに刊行物２に基づいて当業者が容易に発明をすることができたものである。
　
　４．むすび
　以上のとおり、本願請求項３に係る発明は、特許法第29条第２項の規定により特許を受けることができない。
　したがって、本願は、その余の請求項について論及するまでもなく、拒絶すべきものである。
　
　よって、結論のとおり審決する。